(57)【特許請求の範囲】
【請求項１】
通風路を有するリテーナと、
前記リテーナの前面に配設され、前記通風路からの空気が外部に吹き出される空気吹出口が形成されたベゼルと、
前記リテーナの通風路において水平方向に延びると共に、垂直方向に回動可能に設けられた複数の水平フィンと、
前記複数の水平フィンよりも後方側において垂直方向に延びると共に、前記リテーナの通風路に対して、前記水平方向に回動可能に設けられた複数の垂直フィンと、
前記複数の水平フィン及び前記複数の垂直フィンを回動させる為の回動操作に用いられる操作部材と、を有するレジスタであって、
前記操作部材は、
前記複数の水平フィンの内、一の水平フィンに対してスライド可能に取り付けられると共に、前記水平フィンを垂直方向に回動させる為の操作ノブと、
前記操作ノブの後部に対して垂直方向に回動可能に取り付けられ、前記複数の垂直フィンに含まれる一の垂直フィンと連結される二股状のアーム部材と、を有し、
前記一の垂直フィンは、
当該一の垂直フィンの前方部分が開口された切欠部と、
前記切欠部の周縁部における上部及び下部を接続するように垂直に延び、前記二股状のアーム部材の間に配置される連結軸と、
前記切欠部の周縁部における上部において、前記水平方向に張り出すように形成された上側張出部と、
前記切欠部を介して、前記上側張出部と対向すると共に、前記水平方向に張り出すように形成された下側張出部と、を有し、
前記操作部材の水平方向へのスライド移動に伴って、前記アーム部材及び前記連結軸を介して、一の垂直フィンを水平方向に回動させることによって、前記複数の垂直フィンを連動して水平方向に回動させるように構成されており、
前記アーム部材は、
アーム部材の後端部に、二股状に形成されたアーム部材の端部の各々を上下方向に拡張した一対の拡張部を有しており、
前記操作部材を操作して、水平フィンを上下方向に回動させる何れの過程においても、前記一対の拡張部の両方と前記上側張出部の間、又は、前記一対の拡張部の両方と前記下側張出部の間の何れか一方に隙間が形成される
ことを特徴とするレジスタ。
【請求項２】
前記アーム部材は、
前記一対の拡張部の各々の上部に形成され、前記水平フィンの前端が下方に向くように当該水平フィンを下方向に回動させた場合にのみ、前記垂直フィンの前記上側張出部と当接する第１当接部と、
前記一対の拡張部の各々の下部に形成され、前記水平フィンの前端が上方を向くように当該水平フィンを上方向に回動させた場合にのみ、前記垂直フィンの前記下側張出部と当接する第２当接部と、を有する
ことを特徴とする請求項１記載のレジスタ。
【請求項３】
前記アーム部材は、
前記水平フィンの前端と後端が同じ高さとなるように、当該水平フィンの回動量を調整した場合に、前記垂直フィンの前記下側張出部と当接する第３当接部を、前記一対の拡張部の各々における前記第２当接部よりも後端側に有する
ことを特徴とする請求項２記載のレジスタ。
【請求項４】
前記アーム部材は、
前記操作ノブに対して回動可能に取り付けられる回動軸から前記一対の拡張部の各々の前端側までの間を連結すると共に、上方に向かって突出するように湾曲した湾曲アームを有する
ことを特徴とする請求項２又は請求項３記載のレジスタ。
【発明の詳細な説明】
【技術分野】
【０００１】
本発明は、自動車の車室内の換気や空調の空気吹出部に使用されるレジスタに関するものである。
【背景技術】
【０００２】
従来、レジスタは、例えば、自動車のインストルメントパネル等に配設され、例えば空調装置で調節された調和空気を車室内に吹き出す空気吹出部に使用されている。これらのレジスタは、略矩形筒状の枠体内部に左右方向へ平行に延び、上下方向へ回動可能に配設された複数の水平フィンと、水平フィンの後方において、上下方向へ平行に延び、左右方向へ回動可能に配設された垂直フィンと、複数の水平フィンの１つに左右方向にスライド移動可能に装着された操作ノブと、を有している。
【０００３】
そして、これらのレジスタにおいては、使用者が操作ノブを用いて一の水平フィンを上下方向に回動させることによって、複数の水平フィンにおける上下方向の回動量を調整可能に構成されている。又、使用者が一の水平フィンに沿って左右方向にスライド移動させることによって、後方に位置する複数の垂直フィンにおける左右方向の回動量を調整可能に構成されている。これらのレジスタによれば、複数の水平フィン及び複数の垂直フィンの回動量を調整することによって、空気の吹出方向を上下左右に調整することができる。
【０００４】
このようなレジスタにおける操作ノブとして、二股状に形成されたアーム部材５０が操作ノブの後方部分に上下方向に回動可能に支持されているものが存在している。この場合、アーム部材５０は、一の垂直フィンに形成された切欠部の周縁部における上側部分と下側部分とを接続する連結シャフト２６を挟むように配設されており、操作ノブのスライド移動に伴う力を、連結シャフト２６を介して、垂直フィンに伝達している。
【０００５】
この構成の場合、使用者が操作ノブを用いて水平フィンを上下方向に回動させると、アーム部材５０は、操作ノブに対して上下方向に回動し、垂直フィンの切欠部内を移動する。この時、アーム部材５０の先端が切欠部周縁部における上側及び下側に形成された張出部に対して接触してしまい、異音が発生してしまう場合があった。
【０００６】
この問題点を解消すべくなされた発明として、特許文献１及び特許文献２記載の発明が知られている。特許文献１及び特許文献２記載のレジスタは、複数の前ブレードと、複数の後ブレードを有しており、一の前ブレードにスライド移動可能に配設された操作ノブを用いて、空気の吹出方向を上下左右に調整可能に構成されている。そして、特許文献１及び特許文献２記載のレジスタにおいて、一の後ブレードには、前方に開口する切欠部が形成されており、当該切欠部の周縁部には、互いに上下方向に対向する一対の張出部が形成されている。又、連結シャフト２６が、当該切欠部の周縁部における上側部分と下側部分とを接続している。そして、特許文献１及び特許文献２において、操作ノブの後部には、アーム部材５０が上下方向に回動可能に配設されている。当該アーム部材５０は、連結シャフト２６を左右両側から挟む二股状の湾曲アーム５２と、各湾曲アーム５２の後端に設けられた円板状の当接部を有している。特許文献１及び特許文献２記載のレジスタにおいては、切欠部の上縁及び下縁に形成された両張出部に対して、アーム部材５０の湾曲アーム５２後端に形成された円板状の当接部の側面を、常時圧接する若しくは常時弾性的に圧接することによって、異音の発生を防止している。
【先行技術文献】
【特許文献】
【０００７】
【特許文献１】特開２０１２−１７１６０４号公報
【特許文献２】特開２０１３−１５４７６９号公報
【発明の概要】
【発明が解決しようとする課題】
【０００８】
ここで、特許文献１及び特許文献２記載のレジスタのように、アーム部材５０の湾曲アーム５２後端に形成された円板状の当接部が、切欠部の上下に位置する張出部に対して常時接触している為、操作ノブを用いて前ブレードを回動させた場合であっても、切欠部内においてアーム部材５０が張出部に対して衝突するように移動することはない。即ち、特許文献１及び特許文献２におけるレジスタによれば、異音の発生は防止することができる。
【０００９】
しかしながら、特許文献１及び特許文献２におけるレジスタ円板状の当接部が常に張出部に対して圧接若しくは弾性的に圧接されている為、操作ノブを用いて前ブレードを回動させる過程で、当接部と張出部の間に摩擦力が生じる。圧接若しくは弾性的に圧接されているのであるから、この摩擦力は、必然的に大きなものとなってしまい、使用者が操作ノブを用いて前ブレードを回動させる際に大きな負荷となる。即ち、特許文献１及び特許文献２記載のレジスタは、異音の発生を防止する一方で、操作ノブを用いて前ブレードを回動させる際の操作性を大きく損なってしまっていた。
【００１０】
そこで、本発明は、上述した問題点を解決するためになされたものであり、操作ノブを操作することにより調和空気等の吹出方向を調整可能なレジスタに関し、操作ノブを用いた吹出方向の調整に係る操作性を損なうことなく、操作ノブに対して回動可能に取り付けられたアーム部材に起因する異音を低減可能なレジスタを提供する。
【課題を解決するための手段】
【００１１】
前記目的を達成するため、請求項１に係るレジスタは、通風路を有するリテーナと、前記リテーナの前面に配設され、前記通風路からの空気が外部に吹き出される空気吹出口が形成されたベゼルと、前記リテーナの通風路において水平方向に延びると共に、垂直方向に回動可能に設けられた複数の水平フィンと、前記複数の水平フィンよりも後方側において垂直方向に延びると共に、前記リテーナの通風路に対して、前記水平方向に回動可能に設けられた複数の垂直フィンと、前記複数の水平フィン及び前記複数の垂直フィンを回動させる為の回動操作に用いられる操作部材と、を有するレジスタであって、前記操作部材は、前記複数の水平フィンの内、一の水平フィンに対してスライド可能に取り付けられると共に、前記水平フィンを垂直方向に回動させる為の操作ノブと、前記操作ノブの後部に対して垂直方向に回動可能に取り付けられ、前記複数の垂直フィンに含まれる一の垂直フィンと連結される二股状のアーム部材と、を有し、前記一の垂直フィンは、当該一の垂直フィンの前方部分が開口された切欠部と、前記切欠部の周縁部における上部及び下部を接続するように垂直に延び、前記二股状のアーム部材の間に配置される連結軸と、前記切欠部の周縁部における上部において、前記水平方向に張り出すように形成された上側張出部と、前記切欠部を介して、前記上側張出部と対向すると共に、前記水平方向に張り出すように形成された下側張出部と、を有し、前記操作部材の水平方向へのスライド移動に伴って、前記アーム部材及び前記連結軸を介して、一の垂直フィンを水平方向に回動させることによって、前記複数の垂直フィンを連動して水平方向に回動させるように構成されており、前記アーム部材は、アーム部材の後端部に、二股状に形成されたアーム部材の端部の各々を上下方向に拡張した一対の拡張部を有しており、前記操作部材を操作して、水平フィンを上下方向に回動させる何れの過程においても、前記一対の拡張部の両方と前記上側張出部の間、又は、前記一対の拡張部の両方と前記下側張出部の間の何れか一方に隙間が形成されることを特徴とする。
【００１２】
又、請求項２に係るレジスタは、請求項１記載のレジスタであって、前記アーム部材は、前記一対の拡張部の各々の上部に形成され、前記水平フィンの前端が下方に向くように当該水平フィンを下方向に回動させた場合にのみ、前記垂直フィンの前記上側張出部と当接する第１当接部と、前記一対の拡張部の各々の下部に形成され、前記水平フィンの前端が上方を向くように当該水平フィンを上方向に回動させた場合にのみ、前記垂直フィンの前記下側張出部と当接する第２当接部と、を有することを特徴とする。
【００１３】
そして、請求項３に係るレジスタは、請求項２記載のレジスタであって、前記アーム部材は、前記水平フィンの前端と後端が同じ高さとなるように、当該水平フィンの回動量を調整した場合に、前記垂直フィンの前記下側張出部と当接する第３当接部を、前記一対の拡張部の各々における前記第２当接部よりも後端側に有することを特徴とする。
【００１４】
又、請求項４に係るレジスタは、請求項２又は請求項３記載のレジスタであって、前記アーム部材は、前記操作ノブに対して回動可能に取り付けられる回動軸から前記一対の拡張部の各々の前端側までの間を連結すると共に、上方に向かって突出するように湾曲した湾曲アームを有することを特徴とする。
【発明の効果】
【００１５】
そして、請求項１記載のレジスタは、リテーナと、ベゼルと、複数の水平フィンと、複数の垂直フィンと、操作部材とを有しており、操作部材を用いて、水平フィン、垂直フィンを回動させることによって、吹き出される空気の流れを所望の方向に調整することが可能である。当該レジスタにおいて、操作部材は、一の水平フィンに対してスライド可能に取り付けられた操作ノブと、前記操作ノブの後部に対して垂直方向に回動可能に取り付けられ、一の垂直フィンと連結される二股状のアーム部材と、を有しており、一の垂直フィンは、前方部分が開口された切欠部と、連結軸と、上側張出部と、下側張出部と、を有しており、連結軸を前記二股状のアーム部材の間に配置して連結されている。そして、アーム部材の後端部には、二股状に形成されたアーム部材の端部の各々を上下方向に拡張した一対の拡張部が形成されている為、当該レジスタによれば、一の垂直フィンにおける上側張出部及び下側張出部と、アーム部材の後端部（即ち、拡張部）との間の距離を小さくすることができる。これにより、当該レジスタによれば、操作部材の操作に伴って、アーム部材が垂直方向に回動した場合であっても、上側張出部又は下側張出部に対して、アーム部材が接触することで生じる異音の音量を小さくすることができる。又、当該レジスタによれば、前記操作部材を操作して、水平フィンを上下方向に回動させる何れの過程においても、前記一対の拡張部の両方と前記上側張出部の間、又は、前記一対の拡張部の両方と前記下側張出部の間の何れか一方に隙間が形成される為、前記操作部材を操作して、水平フィンを上下方向に回動させる際に摩擦抵抗がかかることはなく、操作部材の良好な操作性を維持することができる。即ち、当該レジスタによれば、操作部材を用いた吹出方向の調整に係る操作性を損なうことなく、操作ノブに対して回動可能に取り付けられたアーム部材に起因する異音を低減することができる。
【００１６】
又、請求項２記載のレジスタにおいて、前記アーム部材は、前記一対の拡張部の各々の上部に形成された第１当接部と、前記一対の拡張部の各々の下部に形成された第２当接部とを有している。第１当接部は、前記水平フィンの前端が下方に向くように当該水平フィンを下方向に回動させた場合にのみ、前記垂直フィンの前記上側張出部と当接し、第２当接部は、前記水平フィンの前端が上方を向くように当該水平フィンを上方向に回動させた場合にのみ、前記垂直フィンの前記下側張出部と当接する。従って、当該レジスタによれば、当該水平フィンを下方向に回動させた場合、当該水平フィンを上方向に回動させた場合においても、拡張部との間に隙間を形成することができるので、操作部材の良好な操作性を維持することができる。
【００１７】
そして、請求項３記載のレジスタにおいて、前記アーム部材は、第３当接部を有しており、当該第３当接部は、前記一対の拡張部の各々における前記第２当接部よりも後端側に形成され、前記水平フィンの前端と後端が同じ高さとなるように、当該水平フィンの回動量を調整した場合に、前記垂直フィンの前記下側張出部と当接する。従って、当該レジスタによれば、第３当接部と下側張出部が接触するのみである為、この状態から操作部材を用いて操作する場合の摩擦抵抗を最小限に抑えることができ、操作部材の良好な操作性を維持することができる。
【００１８】
又、請求項４記載のレジスタにおいて、前記アーム部材は、湾曲アームを有しており、当該湾曲アームは、前記操作ノブに対して回動可能に取り付けられる回動軸から前記一対の拡張部の各々の前端側までの間を連結すると共に、上方に向かって突出するように湾曲している。当該レジスタによれば、アーム部材が上方に向かって突出するように湾曲した湾曲アームを有している為、操作部材を用いて水平フィンを上方向に回動させる際に、アーム部材が他の部材（例えば、垂直フィンにおける下側張出部の前端部）と干渉し、水平フィンの回動を妨げることはない。つまり、当該レジスタによれば、操作部材を用いて水平フィンを上方向に回動させる際の回動量を確保することができ、もって、操作部材による良好な操作性を維持し得る。
【図面の簡単な説明】
【００１９】
【図１】本実施形態に係るレジスタの正面図である。
【図２】本実施形態に係るレジスタの外観斜視図である。
【図３】本実施形態に係るレジスタの水平断面図である。
【図４】本実施形態に係るレジスタの垂直断面図である。
【図５】本実施形態に係る連結機構部の外観斜視図である。
【図６】本実施形態に係る連結機構部の上面図である。
【図７】本実施形態に係る連結機構部の側面図である。
【図８】本実施形態に係るアーム部材の外観斜視図である。
【図９】本実施形態に係るアーム部材の側面図である。
【図１０】本実施形態に係る中央垂直フィンの外観斜視図である。
【図１１】本実施形態に係る中央垂直フィンの側面図である。
【図１２】通常状態における連結機構部の状態を示す垂直断面図である。
【図１３】下方回動状態における連結機構部の状態を示す垂直断面図である。
【図１４】上方回動状態における連結機構部の状態を示す垂直断面図である。
【発明を実施するための最良の形態】
【００２０】
以下、本発明に係るレジスタを、自動車等の車室前方に配置されるインストルメントパネルに配設され、空調装置で調節された調和空気を車室内に吹き出すレジスタ１に具体化した実施形態に基づいて図面を参照しつつ詳細に説明する。
尚、以下の説明においては、当該レジスタ１における送風方向下流側（即ち、車室側）を前方とし、送風方向上流側（即ち、空調装置側）を後方として説明する。又、当該レジスタ１の前方において、レジスタ１と正対した利用者の視点で、上下方向及び左右方向を定義する。
【００２１】
（レジスタの概略構成）
図１〜図４に示すように、レジスタ１は、リテーナ２と、ベゼル５を有して構成されており、空調装置で調節された調和空気を車室内に吹き出すように構成されている。リテーナ２は、略矩形筒状に形成されており、その内部が通風路３を構成している。リテーナ２の後端部は、通風路３を介して空調装置（図示せず）に接続されている。そして、ベゼル５は、リテーナ２の前面に配設される略矩形枠状の部材であり、空気吹出口６を有している。空気吹出口６は、空調装置で調節された空気を、通風路３を介して、レジスタ１の外部（乗員側）に向けて吹き出す。そして、ベゼル５の右側部分には、操作ダイヤル７が配設されており、当該操作ダイヤル７は、リテーナ２内部の通風路３を、シャッタ４によって開閉する際に操作される。
【００２２】
リテーナ２の前側開口部分には、複数の水平フィン１０が、左右両側の側壁に対して回動可能に支持されている。複数（本実施形態においては、３本）の水平フィン１０は、それぞれ左右方向に延びるように形成された板状の水平フィン本体１１を有しており、上下方向に配設された各水平フィン１０の夫々に対して、平行に配設されている。
【００２３】
図３等に示すように、各水平フィン１０の左右両端部には、回動支持軸１２が、同軸上に設けられており、回動支持軸１２は、水平フィン１０の左右両端部から外側方向に突出している。各回動支持軸１２がリテーナ２の左右側壁に対して回動可能に取り付けられている為、各水平フィン１０は、回動支持軸１２の軸心周り（つまり、上下方向）に回動可能に取り付けられている。
【００２４】
各水平フィン１０の左右方向における端部には、リンク支持軸１３が、当該端部の略中央部に形成されている。当該レジスタ１においては、３本の水平フィン１０のリンク支持軸１３がリンク部材（図示）で連結されている為、３本の水平フィン１０が全て連動して上下方向に回動するように構成されている。
【００２５】
図１〜図４に示すように、上下方向に並ぶ水平フィン１０の中段には、中央水平フィン１０Ａが配置されている。中央水平フィン１０Ａには、操作ノブ３０が、中央水平フィン１０Ａに沿って、左右方向へスライド可能に取り付けられている。当該レジスタ１においては、操作ノブ３０を上下方向に操作することにより、中央水平フィン１０Ａを上下方向に回動する。そして、中央水平フィン１０Ａの回動が、各リンク支持軸１３を介して伝達されるため、各水平フィン１０は、全て連動して上下方向に回動する。これにより、当該レジスタ１において、空気吹出口６から吹出される空気の吹出方向が上下方向に調整される。
【００２６】
リテーナ２内部には、複数の垂直フィン２０が、各水平フィン１０よりも後側で、且つ上記シャッタ４よりも前側部分に配設されている。各垂直フィン２０は、上下方向に延びる板状を為し、互いに平行となるように配設されている。
【００２７】
図４に示すように、各垂直フィン２０の上下両端部には、上回動支持軸２２、下回動支持軸２３が、それぞれ上下方向に突出し、且つ、同軸上に位置するように形成されている。上回動支持軸２２、下回動支持軸２３は、リテーナ２の上下側壁に回動可能に支持されている為、各垂直フィン２０は、上回動支持軸２２及び下回動支持軸２３を結ぶ軸周りに、左右方向へ回動可能に取り付けられている。
【００２８】
そして、各垂直フィン２０の下端部には、リンク支持軸２４が後方部分に形成されている。図４に示すように、各垂直フィン２０のリンク支持軸２４がリンク部材６０で連結されている為、一の垂直フィンが左右方向に回動すると、全ての垂直フィン２０が連動して左右方向に回動するように構成されている。
【００２９】
ここで、複数の垂直フィン２０は、レジスタ１の左右方向における中央部分に、中央垂直フィン２０Ａを有している。図１〜図４に示すように、中央垂直フィン２０Ａは、中央水平フィン１０Ａにスライド移動可能に取り付けられた操作ノブ３０の背面側に位置している。中央垂直フィン２０Ａは、後述する連結機構部ＣＰによって、操作ノブ３０のスライド移動が伝達されるように連結されている為、操作ノブ３０のスライド移動に伴って、左右方向に回動する。
【００３０】
そして、複数の垂直フィン２０は、夫々、リンク支持軸２４を介して、リンク部材６０に連結されている為、全ての垂直フィン２０が、中央垂直フィン２０Ａの左右方向への回動に連動して、左右方向へ回動する。従って、当該レジスタ１によれば、操作ノブ３０をスライド移動させて、全ての垂直フィン２０を左右方向へ回動させることによって、空気吹出口６から吹出される空気の吹出方向を、左右方向に調整することができる。
【００３１】
（連結機構部の概略構成）
続いて、本実施形態に係るレジスタ１における連結機構部ＣＰについて、図面を参照しつつ説明する。連結機構部ＣＰは、複数の水平フィン１０を上下方向に、複数の垂直フィン２０を左右方向にそれぞれ回動させるための機構部であり、図５〜図７に示すように、中央水平フィン１０Ａに対してスライド移動可能に取り付けられた操作ノブ３０と、中央垂直フィン２０Ａとを連結して構成される。
【００３２】
（中央垂直フィンにおける切欠部の構成）
図１０、図１１に示すように、中央垂直フィン２０Ａは、切欠部２５が形成されている点を除き、他の垂直フィン２０と同様の構成であり、垂直フィン本体２１と、上回動支持軸２２と、下回動支持軸２３と、リンク支持軸２４とを有している。
【００３３】
即ち、中央垂直フィン２０Ａの上下両端部においても、上回動支持軸２２、下回動支持軸２３が、夫々上下方向に突出し、且つ、同軸上に位置するように形成されており、中央垂直フィン２０Ａ下端部の後方部分には、リンク支持軸２４が形成されている。そして、中央垂直フィン２０Ａにおいても、垂直フィン本体２１は、他の垂直フィン２０と同様に、上回動支持軸２２と下回動支持軸２３を通る中心線を基準として、後方側に延びる平板状に形成されている。
【００３４】
そして、中央垂直フィン２０Ａには、切欠部２５が、当該垂直フィン本体２１の前方側において、中央垂直フィン２０Ａの上下方向略中央部分に形成されている。当該切欠部２５は、垂直フィン本体２１の前端縁から後方に向かって切り欠かれ、前方に向かって開口するように形成されており、連結シャフト２６と、上側張出部２７と、下側張出部２８とを有している。
【００３５】
切欠部２５の周縁部における前端部には、連結シャフト２６が形成されており、当該連結シャフト２６は、切欠部２５における周縁部の上部及び下部を接続するように垂直に延びている。連結シャフト２６は、垂直フィン本体２１と一体に形成されており、操作ノブ３０のスライド移動に伴う力が伝達される部分を構成している。
【００３６】
上側張出部２７は、切欠部２５の周縁部における上側部分に、フランジ状に形成されており、垂直フィン本体２１を基準として、左右方向（即ち、水平方向）に張り出すように形成されている。そして、下側張出部２８は、切欠部２５の周縁部における下側部分に、フランジ状に形成されており、切欠部２５を介して、上側張出部２７と対向するように配置される。又、下側張出部２８は、上側張出部２７と同様に、垂直フィン本体２１を基準として、左右方向（即ち、水平方向）に張り出すように形成されている。
【００３７】
（操作ノブの構成）
操作ノブ３０は、上述したように、連結機構部ＣＰを構成すると共に、図３〜図７等に示すように、レジスタ１の使用者が空気の吹出方向を調節する際の操作に用いられるノブ本体４０と、中央垂直フィン２０Ａの連結シャフト２６と係合し、ノブ本体４０のスライド移動に伴う力を伝達するアーム部材５０と、を有している。
【００３８】
（ノブ本体の構成）
図５〜図７に示すように、ノブ本体４０は、中央水平フィン１０Ａに対してスライド可能に取り付けられると共に、水平フィン１０を垂直方向に回動させる為の操作ノブ３０の主要部を構成し、挿通孔４１と、軸保持部４２を有している。
【００３９】
挿通孔４１は、当該ノブ本体４０を左右方向に貫通するように形成されている。当該ノブ本体４０は、中央垂直フィン２０Ａを挿通孔４１に挿通するように取り付けられている為、中央垂直フィン２０Ａに対して、左右方向にスライド移動可能に配設される。
【００４０】
そして、軸保持部４２は、ノブ本体４０の後端部において、左右両端部それぞれに設けられており、後述するアーム部材５０のアーム回動軸５１を軸支している。従って、当該軸保持部４２は、ノブ本体４０に対して、当該アーム部材５０を垂直方向へ回動自在に支持している。
【００４１】
（アーム部材の構成）
そして、アーム部材５０は、上述したように、ノブ本体４０の後端部において、垂直方向に回動可能に取り付けられており、図８、図９に示すように、アーム回動軸５１と、湾曲アーム５２を有している。当該アーム部材５０は、中央垂直フィン２０Ａの連結シャフト２６と係合することで、ノブ本体４０のスライド移動に伴う力を、中央垂直フィン２０Ａに対して伝達する。そして、アーム部材５０は、ノブ本体４０に対して垂直方向に回動可能に取り付ける為のアーム回動軸５１と、当該アーム回動軸５１から後方に向かって延びる二股状の湾曲アーム５２と、を有している。
【００４２】
アーム回動軸５１は、アーム部材５０の前端部の外側部分に、左右方向に突出するように形成されており、左右両側のアーム回動軸５１が同軸上に位置するように形成されている。そして、当該アーム回動軸５１は、ノブ本体４０後端部に形成された軸保持部４２によって、回動自在に保持されている。これにより、アーム部材５０は、ノブ本体４０に対して、アーム回動軸５１を中心として、垂直方向へ回動可能に連結されている。
【００４３】
そして、二股状の湾曲アーム５２は、アーム回動軸５１の左右方向中央部分において、左右方向に間隔を空けて形成されており、アーム部材５０の前端部から後方に向かって延びている。当該湾曲アームは、図８、図９に示すように、アーム回動軸５１から後方に向かって延びる途中で、上方に向かって突出するように湾曲している。図３〜図７に示すように、二股状に形成された湾曲アーム５２の間には、中央垂直フィン２０Ａの連結シャフト２６が配置される。換言すれば、一対の湾曲アーム５２は、連結シャフト２６を挟んで左右両側に配設される。
【００４４】
従って、操作ノブ３０がスライド移動すると、ノブ本体４０と共に、アーム部材５０も移動する為、湾曲アーム５２は、中央垂直フィン２０Ａの連結シャフト２６を押圧する。この連結シャフト２６の押圧に伴って、中央垂直フィン２０Ａが左右方向へ回動する為、他の垂直フィン２０も、連動して左右方向に回動する。
【００４５】
尚、本実施形態においては、中央水平フィン１０Ａの上下方向への回動に伴って、操作ノブ３０も上下方向に回動するが、一対の湾曲アーム５２の間に、上下方向に延びる連結シャフト２６が配置されている為、湾曲アーム５２が、操作ノブ３０の上下方向への回動に伴って、連結シャフト２６に接触することはない。従って、操作ノブ３０の上下方向に対する回動は、複数の垂直フィン２０を左右方向へ回動させることはない。
【００４６】
そして、図８、図９に示すように、各湾曲アーム５２は、補強リブ５３と、拡張部５５を有している。補強リブ５３は、上方に向かって突出するように湾曲する各湾曲アーム５２の外側部分から、アーム部材５０の外側方向へ突出形成されており、湾曲アーム５２の湾曲形状に沿うように延びている。当該補強リブ５３は、アーム部材５０の外側方向への荷重に対する各湾曲アーム５２の剛性を高めている。従って、操作ノブ３０をスライド移動させた際において、当該湾曲アーム５２の変形を抑制することができるので、当該レジスタ１は、空気吹出口６から吹出される空気の吹出方向を左右方向に調整する際の操作ノブ３０の操作性を、良好に維持することができる。
【００４７】
各湾曲アーム５２の後端部には、拡張部５５が形成されており、当該拡張部５５は、湾曲アーム５２を上下方向に拡張することで平板状に形成されている。図９等に示すように、拡張部５５は、側面視において、当該拡張部５５の前後方向中央部分が上側に突出するように湾曲した平板状をなし、第１当接部５６と、第２当接部５７と、第３当接部５８とを有している。
【００４８】
第１当接部５６は、側面視において、上側に突出するように湾曲した拡張部５５の上側端面であり、湾曲の頂点に対して前方側の部分に形成されている。後述するように、当該第１当接部５６は、複数の水平フィン１０の前端が下方に向くように当該水平フィン１０を下方向に回動させた状態（以下、下方回動状態）の場合にのみ、中央垂直フィン２０Ａの上側張出部２７と当接する（図１３参照）。
【００４９】
第２当接部５７は、湾曲アーム５２との接続部分である拡張部５５における前方部分において、下側に拡張された拡張部５５の下端面に形成されている。後述するように、第２当接部５７は、複数の水平フィン１０の前端が上方を向くように当該水平フィン１０を上方向に回動させた状態（以下、上方回動状態）の場合にのみ、中央垂直フィン２０Ａの下側張出部２８と当接する（図１４参照）。
【００５０】
そして、第３当接部５８は、拡張部５５における第１当接部５６及び第２当接部５７よりも後方であって、湾曲アーム５２よりも下側に拡張された部分に形成されている。当該第３当接部５８は、第２当接部５７よりも下方向に拡張された部分において、拡張部５５の下側端面に形成されている。後述するように、第３当接部５８は、複数の水平フィン１０の前端と後端が同じ高さとなる状態（以下、通常状態）となるように、当該水平フィン１０の回動量を調整した場合に、中央垂直フィン２０Ａの下側張出部と当接するように形成されている（図１２参照）。
【００５１】
（レジスタの動作）
続いて、上述のように構成されたレジスタ１において、シャッタ４を開けた状態で空気の吹出方向を上下左右に調整する方法について説明する。先ず、空気の吹出方向を左右に調整する場合について説明する。この場合、使用者は、中央水平フィン１０Ａに沿って、操作ノブ３０を左右方向にスライド移動させる。これにより、操作ノブ３０の移動力がアーム部材５０の湾曲アーム５２から、連結シャフト２６を介して、中央垂直フィン２０Ａに伝達される。これにより、中央垂直フィン２０Ａが左右方向に回動する為、他の垂直フィン２０は、各リンク支持軸２４及びリンク部材６０を介して、それに連動して左右方向に回動する。これにより、当該レジスタ１によれば、操作ノブ３０を左右方向にスライド移動させることで、空気の吹出方向を、所望の方向へ左右に調整することができる。
【００５２】
続いて、本実施形態に係るレジスタ１において、空気の吹出方向を上下に調整する場合について、図面を参照しつつ詳細に説明する。
【００５３】
（通常状態における連結機構部の状態）
はじめに、各水平フィン１０の前端と後端が同じ高さとなる通常状態である場合について、図１２を参照しつつ説明する。通常状態にある場合、操作ノブ３０のノブ本体４０は、中央水平フィン１０Ａと共に、ノブ本体４０の前端と後端が同じ高さとなる状態となっている。
【００５４】
ここで、本実施形態における操作ノブ３０においては、上述したように、アーム部材５０は、ノブ本体４０の後端部において、上下方向に回動可能に軸支されており、湾曲アーム５２の後端部に拡張部５５を有している。従って、アーム部材５０は、ノブ本体４０の後端部において、当該アーム部材５０の自重によって、アーム回動軸５１を軸に下方に回動し、拡張部５５の下端面が、中央水平フィン１０Ａの下側張出部２８上面に接近する。
【００５５】
ここで、拡張部５５において、第３当接部５８は、第２当接部５７よりも下方向に拡張された部分であり、拡張部５５の下側端面に形成されている為、中央水平フィン１０Ａの下側張出部２８の上面には、第３当接部５８のみが当接する（図１２参照）。この時、中央垂直フィン２０Ａの上側張出部２７下面と、拡張部５５の上端面との間には、所定の隙間が形成されている。
【００５６】
（下方回動状態における連結機構部の状態）
次に、複数の水平フィン１０を水平状態から下方回動状態に変更し、空気の吹出方向を下向きに調整する場合について説明する。
【００５７】
複数の水平フィン１０を下方回動状態に調整する場合、使用者は、操作ノブ３０を用いて、中央水平フィン１０Ａを、前端が下側に、後端が上側になるように、下方向に回動させる。この中央水平フィン１０Ａの回動に連動して、他の水平フィン１０も同様に、前端が下側に、後端が上側になるように回動する。これにより、当該レジスタ１によれば、操作ノブ３０を下方向に回動させることで、空気の吹出方向を、所望の下方向に調整することができる（図１３参照）。
【００５８】
この時、中央水平フィン１０Ａの回動に伴って、軸保持部４２が形成されているノブ本体４０の後端側が、通常状態の位置から斜め前方上側に移動する為、アーム部材５０は、アーム回動軸５１を軸に回動しながら前方に移動し、拡張部５５も回動しつつ前方へ移動していく。図１３に示すように、水平フィン１０を限界まで下方へ回動させると、拡張部５５の第１当接部５６のみが、中央垂直フィン２０Ａの上側張出部２７下面と当接する。この時、中央垂直フィン２０Ａの下側張出部２８上面と、拡張部５５の下端面との間には、所定の隙間が形成されている。
【００５９】
（上方回動状態における連結機構部の状態）
続いて、複数の水平フィン１０を水平状態から上方回動状態に変更し、空気の吹出方向を上向きに調整する場合について説明する。
【００６０】
複数の水平フィン１０を上方回動状態に調整する場合、使用者は、操作ノブ３０を用いて、中央水平フィン１０Ａを、前端が上側に、後端が下側になるように、上方向に回動させる。この中央水平フィン１０Ａの回動に連動して、他の水平フィン１０も同様に、前端が上側に、後端が下側になるように回動する。これにより、当該レジスタ１によれば、操作ノブ３０を上方向に回動させることで、空気の吹出方向を、所望の上方向に調整することができる（図１４参照）。
【００６１】
この時、中央水平フィン１０Ａの回動に伴って、軸保持部４２が形成されているノブ本体４０の後端側が、通常状態の位置から斜め前方下側に移動する為、アーム部材５０は、アーム回動軸５１を軸に回動しながら前方に移動し、拡張部５５も回動しつつ前方へ移動していく。ここで、アーム部材５０の湾曲アーム５２は、上方に向かって突出するように湾曲している為、湾曲アーム５２が下側張出部２８の前端上面に干渉することはない。従って、水平フィン１０を上方に回動させ得る範囲が、下側張出部２８とアーム部材５０の接触によって制限されることはなく、操作ノブ３０による操作性を維持することができる。
【００６２】
そして、図１４に示すように、水平フィン１０を限界まで上方へ回動させると、拡張部５５の第２当接部５７のみが、中央垂直フィン２０Ａの下側張出部２８上面と当接する。この時、中央垂直フィン２０Ａの上側張出部２７下面と、拡張部５５の上端面との間には、所定の隙間が形成されている。
【００６３】
図１２〜図１４に示すように、本実施形態におけるレジスタ１によれば、操作ノブ３０を操作して複数の水平フィン１０を上下方向に回動させる何れの過程においても、拡張部５５と上側張出部２７部の間、又は、拡張部５５と下側張出部２８の間の何れか一方に隙間が形成される。従って、当該レジスタ１によれば、操作ノブ３０を操作して複数の水平フィン１０を上下方向に回動させる操作に際して、拡張部５５との間に大きな摩擦抵抗が生じることはなく、空気の吹出方向を上下に調整する際の操作性を良好に維持することができる。
【００６４】
又、拡張部５５は、アーム部材５０における湾曲アーム５２を基準として、上下方向に拡張することによって形成されている為、アーム部材５０に対する上側張出部２７、下側張出部２８の距離を短くすることができる。従って、操作ノブ３０を操作して複数の水平フィン１０を上下方向に回動させる場合に、上側張出部２７、下側張出部２８に接触するまでにアーム部材５０が移動する距離を短くすることができる為、両者の接触に起因する異音の大きさを低減することができる。
【００６５】
以上説明したように、本実施形態に係るレジスタ１は、リテーナ２と、ベゼル５と、複数の水平フィン１０と、複数の垂直フィン２０と、操作ノブ３０とを有しており、操作ノブ３０を用いて、水平フィン１０、垂直フィン２０を回動させることによって、吹き出される空気の流れを所望の方向に調整可能に構成されている。
【００６６】
図３〜図８に示すように、操作ノブ３０は、中央水平フィン１０Ａに対してスライド可能に取り付けられたノブ本体４０と、ノブ本体４０の後部に対して垂直方向に回動可能に取り付けられ、中央垂直フィン２０Ａと連結される二股状のアーム部材５０と、を有しており、中央垂直フィン２０Ａは、前方部分が開口された切欠部２５と、連結シャフト２６と、上側張出部２７と、下側張出部２８と、を有しており、連結シャフト２６を前記二股状のアーム部材５０の間に配置して連結されている。
【００６７】
ここで、アーム部材５０の後端部には、二股状に形成された湾曲アーム５２を上下方向に拡張した拡張部５５が形成されている。従って、当該レジスタ１によれば、中央垂直フィン２０Ａにおける上側張出部２７及び下側張出部２８と、アーム部材５０の後端部（即ち、拡張部５５）との間の距離を小さくすることができる。これにより、図１２〜図１４に示すように、当該レジスタ１によれば、操作ノブ３０の操作に伴って、アーム部材５０が垂直方向に回動した場合であっても、上側張出部２７又は下側張出部２８に対して、アーム部材５０が接触することで生じる異音の音量を小さくすることができる。
【００６８】
又、当該レジスタ１によれば、前記操作ノブ３０を操作して、水平フィン１０を上下方向に回動させる何れの過程においても、前記拡張部５５と前記上側張出部２７の間、又は、前記拡張部５５と前記下側張出部２８の間の何れか一方に隙間が形成される為、前記操作ノブ３０を操作して、水平フィン１０を上下方向に回動させる際に摩擦抵抗がかかることはなく、操作ノブ３０の良好な操作性を維持することができる。即ち、当該レジスタ１によれば、操作ノブ３０を用いた吹出方向の調整に係る操作性を損なうことなく、ノブ本体４０に対して回動可能に取り付けられたアーム部材５０に起因する異音を低減することができる。
【００６９】
図８、図９等に示すように、アーム部材５０は、前記拡張部５５の上部に形成された第１当接部５６と、前記拡張部５５の下部に形成された第２当接部５７とを有している。図１３に示すように、第１当接部５６は、水平フィン１０の前端が下方に向くように当該水平フィン１０を下方向に回動させた場合にのみ、上側張出部２７と当接する。そして、第２当接部５７は、前記水平フィン１０の前端が上方を向くように当該水平フィン１０を上方向に回動させた場合にのみ、下側張出部２８と当接する（図１４参照）。従って、当該レジスタ１によれば、当該水平フィン１０を下方向に回動させた場合、当該水平フィン１０を上方向に回動させた場合においても、拡張部５５との間に隙間を形成することができるので、操作ノブ３０の良好な操作性を維持することができる。
【００７０】
アーム部材５０の拡張部５５には、第３当接部５８が、第２当接部５７よりも後端側に形成され、前記水平フィン１０の前端と後端が同じ高さとなるように、当該水平フィン１０の回動量を調整した場合に、下側張出部２８と当接する（図１２参照）。従って、当該レジスタ１によれば、第３当接部５８と下側張出部２８が接触するのみである為、この状態から操作ノブ３０を用いて操作する場合の摩擦抵抗を最小限に抑えることができ、操作ノブ３０の良好な操作性を維持することができる。
【００７１】
前記アーム部材５０には、湾曲アーム５２が形成されており、当該湾曲アーム５２は、アーム回動軸５１から拡張部５５の前端側までの間を連結すると共に、上方に向かって突出するように湾曲している。当該レジスタ１によれば、アーム部材５０における湾曲アーム５２が上方に向かって突出するように湾曲している為、操作ノブ３０を用いて水平フィンを上方向に回動させる際に、アーム部材５０が他の部材（下側張出部２８の前端部）と干渉し、水平フィン１０の回動を妨げることはない。つまり、当該レジスタ１によれば、操作ノブ３０を用いて水平フィン１０を上方向に回動させる際の回動量を確保することができ、もって、操作ノブ３０による良好な操作性を維持し得る。
【００７２】
尚、本発明は、上述した実施形態に限定されるものではなく、本発明の要旨を逸脱しない範囲内で種々の改良、変形が可能であることは勿論である。例えば、本発明に係るアーム部材の拡張部は、上述した実施形態に係るアーム部材５０における拡張部５５の形状に限定されるものではない。即ち、操作ノブ３０を操作して、水平フィン１０を上下方向に回動させる何れの過程においても、拡張部５５と上側張出部２７の間、又は、拡張部５５と下側張出部２８の間の何れか一方に隙間が形成され得る拡張部５５の形状であれば、種々の形状を採用することができる。
【符号の説明】
【００７３】
１      レジスタ
２      リテーナ
５      ベゼル
１０    水平フィン
１０Ａ  中央水平フィン
２０    垂直フィン
２０Ａ  中央垂直フィン
２５    切欠部
２６    連結シャフト
２７    上側張出部
２８    下側張出部
３０    操作ノブ
４０    ノブ本体
５０    アーム部材
５１    アーム回動軸
５２    湾曲アーム
５５    拡張部
５６    第１当接部
５７    第２当接部
５８    第３当接部
ＣＰ    連結機構部
【図１】
0006450543.tif 000002
【図２】
0006450543.tif 000003
【図３】
0006450543.tif 000004
【図４】
0006450543.tif 000005
【図５】
0006450543.tif 000006
【図６】
0006450543.tif 000007
【図７】
0006450543.tif 000008
【図８】
0006450543.tif 000009
【図９】
0006450543.tif 000010
【図１０】
0006450543.tif 000011
【図１１】
0006450543.tif 000012
【図１２】
0006450543.tif 000013
【図１３】
0006450543.tif 000014
【図１４】
0006450543.tif 000015